(57)【要約】    【課題】移動通信端末機において、実際に付加機能を利用する際に多くの操作を行わなければならないという不便さを解消する。    【解決手段】移動端末機におけるデータ処理方法は、入力画面が二つ以上の入力領域（１１，１２）に分離され、該入力領域のうち少なくとも一つの入力領域にデータが入力される過程と、前記データが入力された後にファンクションキー（２０）が操作されると、該ファンクションキーに関連する所定の動作を前記入力されたデータを用いて実行する過程と、を含んで構成される。【選択図】図１
2006352875.tif 000002
【特許請求の範囲】
【請求項１】
入力画面が二つ以上の入力領域に分離され、該入力領域のうちの少なくとも一つにデータが入力される過程と、
前記データが入力された後にファンクションキーが操作されると、該ファンクションキーに関連する所定の動作を前記入力されたデータを用いて実行する過程と、
を含んで構成される移動通信端末機におけるデータ処理方法。
【請求項２】
前記入力画面は、数字が入力される少なくとも一つの番号入力領域と、少なくとも文字が入力される少なくとも一つの内容入力領域と、に分離されていることを特徴とする請求項１に記載の移動通信端末機におけるデータ処理方法。
【請求項３】
前記ファンクションキーが通話キーであるときに、前記番号入力領域に入力された数字を電話番号とし、該電話番号で呼接続を行うことを特徴とする請求項２に記載の移動通信端末機におけるデータ処理方法。
【請求項４】
前記番号入力領域に入力された数字が短縮番号であり、
前記ファンクションキーが通話キーであるときに、前記短縮番号に対応する電話番号で呼接続を行うことを特徴とする請求項３に記載の移動通信端末機におけるデータ処理方法。
【請求項５】
前記ファンクションキーが通話キーであるときに、前記内容入力領域に入力された名前又は名称に対応する電話番号を検索し、検索した電話番号で呼接続を行うことを特徴とする請求項２に記載の移動通信端末機におけるデータ処理方法。
【請求項６】
前記検索の結果、前記内容入力領域に入力された名前又は名称に対応する電話番号が複数あるときは、その全てをディスプレイに表示し、ユーザが選択した電話番号で呼接続を行うことを特徴とする請求項５に記載の移動通信端末機におけるデータ処理方法。
【請求項７】
前記ファンクションキーがメッセージキーであるときに、前記内容入力領域に入力された内容をメッセージとして前記番号入力領域に入力された番号で特定される端末機に伝送することを特徴とする請求項２に記載の移動通信端末機におけるデータ処理方法。
【請求項８】
前記番号入力領域に入力された番号は短縮番号であって、該短縮番号に対応する電話番号で特定される端末機に前記内容入力領域に入力された内容をメッセージとして伝送することを特徴とする請求項７に記載の移動通信端末機におけるデータ処理方法。
【請求項９】
前記ファンクションキーが電話帳キーであるときに、前記番号入力領域及び前記内容入力領域の両方に入力データがあると、該入力データに基づいて電話帳への電話番号の追加動作を行う一方、前記番号入力領域又は前記内容入力領域のみに入力データがあると、該入力されたデータに基づいて前記電話帳の検索動作を行うことを特徴とする請求項２に記載の移動通信端末機におけるデータ処理方法。
【請求項１０】
前記電話番号の追加動作は、前記内容入力領域に入力された内容を前記電話帳の名前フィールドに追加し、前記番号入力領域に入力された内容を前記電話帳の番号フィールドに追加することを特徴とする請求項９に記載の移動通信端末機におけるデータ処理方法。
【請求項１１】
前記電話帳の検索動作は、前記番号入力領域のみに入力データがあると、該入力データに基づいて前記電話帳の番号検索を行い、前記内容入力領域のみに入力データがあると、該入力データに基づいて前記電話帳の名前又は名称検索を行うことを特徴とする請求項９に記載の移動通信端末機におけるデータ処理方法。
【請求項１２】
前記ファンクションキーが待機画面から選択できる機能情報を表示する機能選択キーであるときは、動作可能な機能情報をポップアップ画面で表示し、その中からユーザによって選択された機能に関連する動作を前記入力でされたデータに基づいて実行することを特徴とする請求項２に記載の移動通信端末機におけるデータ処理方法。
【請求項１３】
数字データが入力される番号入力領域と、少なくとも文字データが入力される内容入力領域とに分離された待機画面を表示する表示部と、
前記番号入力領域及び前記内容入力領域の少なくとも一方を介して入力されるデータを一時保存するメモリと、
複数のファンクションキーを含むキーパッドと、
前記番号入力領域及び前記内容入力領域の少なくとも一方にデータが入力され、前記複数のファンクションキーのうちのいずれか一つが操作されると、前記メモリに一時保存された入力データを用いて、操作されたファンクションキーに関連する所定の動作を実行するための制御信号を出力する制御部と、
を含んで構成される移動通信端末機。
【請求項１４】
前記番号入力領域への入力と、前記内容入力領域への入力とを切り換えるための入力領域切換キーを備えることを特徴とする請求項１３に記載の移動通信端末機。
【請求項１５】
前記入力領域切換キーは、側面のいずれかに設けられることを特徴とする請求項１４に記載の移動通信端末機。
【請求項１６】
前記操作されるファンクションキーは、通話に関連する処理が割り当てられた通話ファンクションキー、メッセージに関連する処理が割り当てられたメッセージファンクションキー、電話帳に関連する処理が割り当てられた電話帳ファンクションキーのうちのいずれか一つであることを特徴とする請求項１３に記載の移動通信端末機。
【請求項１７】
前記ファンクションキーが通話ファンクションキーであるときに、前記番号入力領域に入力された数字を電話番号として呼接続を行うことを特徴とする請求項１６に記載の移動通信端末機。
【請求項１８】
前記番号入力領域に入力された数字が短縮番号であり、該短縮番号に対応する電話番号で呼接続を行うことを特徴とする請求項１７に記載の移動通信端末機。
【請求項１９】
前記ファンクションキーが通話ファンクションキーであるときに、前記内容入力領域に入力された名前又は名称に対応する電話番号を検索し、検索した電話番号で呼接続を行うことを特徴とする請求項１６に記載の移動通信端末機。
【請求項２０】
前記内容入力領域に入力された名前又は名称に対応する電話番号が複数あるときは、その全てを表示し、ユーザが選択した電話番号で呼接続を行うことを特徴とする請求項１９に記載の移動通信端末機。
【請求項２１】
前記ファンクションキーがメッセージファンクションキーであるときに、前記内容入力領域に入力されたメッセージを、前記番号入力領域に入力された数字で特定される端末機に伝送することを特徴とする請求項１６に記載の移動通信端末機。
【請求項２２】
前記番号入力領域に入力された数字が短縮番号であって、該短縮番号に対応する電話番号で特定される端末機にメッセージを伝送することを特徴とする請求項２１に記載の移動通信端末機。
【請求項２３】
前記ファンクションキーが電話帳ファンクションキーであるときに、前記番号入力領域及び前記内容入力領域の両方に入力データがあると、該入力データに基づいて電話帳への電話番号の追加動作を行う一方、前記番号入力領域又は前記内容入力領域のみに入力データがあると、該入力データに基づいて前記電話帳の検索動作を行うことを特徴とする請求項２１に記載の移動通信端末機。
【請求項２４】
前記電話番号の追加動作は、前記内容入力領域に入力された内容を前記電話帳の名前フィールドに追加し、前記番号入力領域に入力された内容を前記電話帳の番号フィールドに追加することを特徴とする請求項２３に記載の移動通信端末機。
【請求項２５】
前記電話帳の検索動作は、前記番号入力領域のみに入力データがあると、該入力データに基づいて前記電話帳の番号検索を行い、前記内容入力領域のみに入力データがあると、該入力データに基づいて前記電話帳の名前検索を行うことを特徴とする請求項２３に記載の移動通信端末機。
【請求項２６】
前記ファンクションキーが待機画面から選択できる機能情報を表示する機能選択キーであるときは、動作可能な機能情報をポップアップ画面で表示し、その中からユーザによって選択された機能に関連する動作を実行することを特徴とする請求項１６に記載の移動通信端末機。
【発明の詳細な説明】
【技術分野】
【０００１】
本発明は、移動通信端末機に関し、詳しくは、待機画面を介して入力されるデータを利用して所望の機能をより簡便に実現できる移動通信端末機及び移動通信端末機におけるデータ処理方法に関する。
【背景技術】
【０００２】
現在、移動通信端末機では、通話機能の他に、メッセージ伝送、電話帳のリスト追加、電話帳の検索、待機画面の設定、メモ追加などの多数の機能を実現できる。従来の移動通信端末機において、実際にこれらの付加機能を利用する場合には、一般に次のような操作（手続き）が必要である。
例えば、従来の移動通信端末機を用いてメッセージを伝送するためには、図９（ａ）に示すように、「待機画面」→「メッセージファンクションキー又はメッセージメニューの選択」→「メッセージ受信者の電話番号等の入力又は電話帳を検索しての選択」→「メッセージの作成」→「メッセージ伝送（送信）を選択」という過程を経る必要がある。
また、従来の移動通信端末機において電話帳に電話番号を追加する（リストに追加を行う）ためには、図９（ｂ）に示すように、「待機画面」→「電話帳ファンクションキー又は電話帳メニューの選択」→「電話帳リストで追加キーを押す」→「名前及び電話番号の入力」→「保存を選択」という過程を経る必要がある。
さらに、従来の移動通信端末機おいて電話番号を検索するためには、図９（ｃ）に示すように、「待機画面」→「電話帳ファンクションキー又は電話帳メニューの選択」→「電話帳リストでメニューキーを押す」→「名前検索又は番号検索オプションメニューの選択」→「名前又は番号の入力」→「検索を選択」という手続きを経る必要がある。
【発明の開示】
【発明が解決しようとする課題】
【０００３】
このように、従来の移動通信端末機においては、付加機能の利用を容易にするために設けられているキー（ファンクションキー）を用いる場合でも、実際に付加機能を利用するためには、多くの操作（手続き）を経なければならず、改善の余地があった。
【０００４】
本発明は、このような実情に着目してなされたものであり、その目的は、実際に特定の機能（付加機能）を利用する際に多くの操作を行わなければならないという不便さを解消することのできる、すなわち、可能な限り少ない操作で所定の機能を実現できる移動通信端末機及び移動通信端末機におけるデータ処理方法を提供することにある。
【０００５】
また、本発明の他の目的は、待機画面にデータ入力領域を設け、このデータ入力領域を介して入力されたデータを用いて、選択されたファンクションキーに割り当てられた機能（のうちの少なくとも一つ）を実現することのできる移動通信端末機及び移動通信端末機におけるデータ処理方法を提供することにある。
【０００６】
また、本発明のさらに他の目的は、待機画面にデータ入力領域を設け、このデータ入力領域を介して入力されたデータを用いて、待機画面から（ソフトキーにより）選択可能な特定の機能を実現することのできる移動通信端末機及び移動通信端末機におけるデータ処理方法を提供することにある。
【課題を解決するための手段】
【０００７】
上記目的を達成するため、本発明に係る移動通信端末機は、複数のファンクションキーと、各ファンクションキーが（押圧）操作されると所定の制御信号を出力する制御部と、を備えた移動通信端末機において、待機画面を数字データが入力される番号入力領域と少なくとも文字データが入力される内容入力領域とに分離し、前記番号入力領域及び前記内容入力領域の少なくとも一方にデータが入力された後に、任意のファンクションキーが操作されると、前記入力されたデータに基づいて前記操作されたファンクションキーに関連する所定の動作を実行することを特徴とする。
【０００８】
また、本発明に係る移動通信端末機の構成の特徴は、数字が入力される番号入力領域と少なくとも文字が入力される内容入力領域とに分離された待機画面を表示する表示部と、前記番号入力領域及び前記内容入力領域の少なくとも一方に入力され（前記表示部に表示され）る入力データを一時保存するメモリと、複数のファンクションキーを含むキーパッドと、前記番号入力領域及び前記内容入力領域の少なくとも一方にデータが入力され、前記複数のファンクションキーのうちのいずれか一つが操作されると、該ファンクションキーに関連する所定の動作を前記メモリに一時保存された入力データを用いて実行するための制御信号を出力する制御部と、を含んで構成される点にある。
【０００９】
本発明に係る移動通信端末機の細部構成の特徴は、前記待機画面において、前記番号入力領域への入力と、前記内容入力領域への入力とを切り換えるための入力領域切換キーを備える点にある。
【００１０】
本発明に係る移動通信端末機の他の細部構成の特徴は、前記入力領域切換キーが側面のいずれかに設けられる点にある。
【００１１】
本発明に係る移動通信端末機におけるデータ処理方法は、待機画面を少なくとも二つ以上の入力領域（番号入力領域、内容入力領域）に分離する過程と、前記入力領域（番号入力領域及び内容入力領域の少なくとも一方）にデータが入力される過程と、任意のファンクションキーが操作されると、前記入力されたデータを用いて、該ファンクションキーに関連する所定の動作を実現する過程と、を含んで構成されることを特徴とする。なお、入力領域に入力されたデータはディスプレイに表示され、メモリ等に一時的に保存される。
【００１２】
本発明に係る移動通信端末機及び移動通信端末機におけるデータ処理方法の細部構成の特徴は、前記操作されるファンクションキーが、通話に関する機能が割り当てられた通話ファンクションキー、メッセージに関する機能が割り当てられたメッセージファンクションキー、電話帳に関する機能が割り当てられた電話帳ファンクションキーのうちのいずれか一つである点にある。
【００１３】
また、本発明に係る移動通信端末機及び移動通信端末機におけるデータ処理方法の細部構成の特徴は、前記ファンクションキーが通話ファンクションキーであるときに、前記番号入力領域に入力された数字を電話番号として呼接続を行う点にある。
【００１４】
ここで、前記番号入力領域に入力された数字が短縮番号である場合には、該短縮番号に対応する電話番号で呼接続を行うようにする。
【００１５】
本発明に係る移動通信端末機及び移動通信端末機におけるデータ処理方法のさらに他の細部構成の特徴は、前記ファンクションキーが通話ファンクションキーであるときに、前記内容入力領域に入力された名前又は名称に対応する電話番号を検索し、検索した電話番号で呼接続を行う点にある。
【００１６】
ここで、前記内容入力領域に入力された名前又は名称に対応する電話番号が複数あるときは、その全てを表示し、ユーザが選択した電話番号で呼接続を行うようにする。
【００１７】
本発明に係る移動通信端末機及び移動通信端末機におけるデータ処理方法のさらに他の細部構成の特徴は、前記ファンクションキーがメッセージファンクションキーであるときに、内容入力領域に入力された内容をメッセージとして前記番号入力領域に入力された数字で特定される端末機に伝送（送信）する点にある。ここで、数字で特定される端末機とは、電話番号で特定される場合はもちろん、その他の方法で特定されることをも含む。
【００１８】
ここで、前記番号入力領域に入力された数字が短縮番号であるときには、該短縮番号に対応する電話番号で特定される端末機にメッセージを伝送（送信）する。
【００１９】
また、本発明に係る移動通信端末機及び移動通信端末機におけるデータ処理方法のさらに他の細部構成の特徴は、前記ファンクションキーが電話帳ファンクションキーであるときに、番号入力領域及び内容入力領域の少なくとも一方に入力されたデータにしたがって電話帳機能に関連する動作（リスト追加、電話帳検索など）を行う点にある。
【００２０】
すなわち、前記番号入力領域及び前記内容入力領域の両方に入力データがあると、該入力データに基づいて電話帳への電話番号リストの追加動作を行うようにする一方、番号入力領域又は内容入力領域のみに入力データがあると、該入力データに基づいて前記電話帳の検索動作を行う。
【００２１】
具体的には、前記電話番号の追加動作は、前記内容入力領域に入力された内容を前記電話帳の名前フィールドに追加し、前記番号入力領域に入力された内容を電話帳の番号フィールドに追加する。
【００２２】
ここで、前記電話帳内に同一のデータがすでに存在するようなときは、ユーザが認識できるように当該データを表示するのが好ましい。
【００２３】
また、前記電話帳の検索動作は、前記番号入力領域のみに入力データがあると、該入力データに基づいて前記電話帳の番号検索を行い、前記内容入力領域のみに入力データがあると、該入力データに基づいて前記電話帳の名前又は名称検索を行う。
【００２４】
本発明に係る移動通信端末機及び移動通信端末機におけるデータ処理方法のさらに他の細部構成の特徴は、前記ファンクションキーが前記待機画面から選択できる機能情報を表示する機能選択キー（ソフトキー）であるときは、動作可能な機能情報をポップアップ画面で表示し、ユーザによって選択された機能に関連する動作を実行する点にある（かかる動作を実行する際に入力データが用いられることはもちろんである）。
【００２５】
本発明の他の目的、特徴及び利点は、図面に基づく各実施形態の詳細な説明によって明らかになるだろう。
【発明の効果】
【００２６】
本発明に係る移動通信端末機及び移動通信端末機におけるデータ処理方法によると、移動通信端末機において実際に特定の機能を利用する際に、多くの操作を行わなければならないという不便さを解消できるという効果がある。
【００２７】
すなわち、待機画面で入力されたデータを用いることにより、指定されたファンクションキーやソフトキーによって選択された特定の機能において、各データのそれぞれで異なる入力画面等を呼び出したりする必要がなく、直ちに当該ファンクションキー等に関連する所定の動作を実行するので、ファンクションキーに割り当てられた機能を簡便に実現できるという効果がある。
【発明を実施するための最良の形態】
【００２８】
以下、本発明の好適な実施形態について、添付の図面に基づいて詳細に説明する。なお、図面に基づいて説明される構成及び作用は、本発明の一実施形態として説明されるものに過ぎず、これによって、本発明の技術的思想、その核心構成及び作用が制限されるものではない。
【００２９】
図１は、本発明の実施形態に係る移動通信端末機を示した図である。図１に示すように、本実施形態に係る移動通信端末機１００は、待機画面を番号入力領域１１と内容入力領域１２とに分離して表示するディスプレイ部１０と、基本的な入力を行うための数字（文字含む）キー及び指定された特定の付加機能を行うためのファンクションキー２０を含むキーパッド２１と、待機画面の番号入力領域１１への入力と内容入力領域１２への入力とを切り換えるために一方の側面に設けられた入力領域切換キー３０と、を含んで構成される。なお、ここでは、待機画面が番号入力領域１１と内容入力領域１２との二つの入力領域に分離されている例を示しているが、少なくとも一つの番号入力領域１１と、少なくとも一つの内容入力領域１２とに分離されていればよい。
【００３０】
本実施形態において、番号入力領域１１を介して入力されるデータは、短縮番号や電話番号などの数字である。したがって、該番号入力領域１１にカーソルが位置している場合、キーパッド２１のキーのうち数字キーのみが活性化されて入力に利用される。一方、内容入力領域１２には、数字、文字及び／又は記号（イメージを含む）が入力される。
【００３１】
なお、図には示していないが、移動通信端末機１００には、ディスプレイ部１０に表示される入力データを一時保存するメモリと、このメモリに一時保存される入力データを用いてファンクションキーの動作を実現するための制御信号を出力する制御部と、が内蔵されている。
【００３２】
番号入力領域１１には数字が表示され、内容入力領域１２には数字、文字、が表示される。また、ディスプレイ部１０の下端部に表示されるソフトキーとしては、メニューキー（Menu）、機能選択キー（Connection）及び文字タイプキーのソフトキーが備わっている。但し、これは一例であり、これに限るものではない。なお、文字タイプキーを押すと、数字、英小文字及び英大文字の間の切り換えが行われる。
【００３３】
図２は、メニューキーを用いた場合のディスプレイ画面の一例を示す図である。メニューキーを押すと、「発信番号非表示（Calling number hiding）」、「常用句入力（Habitual text input）」、「パッシブスタンバイ（passive standby）又はポーズ（pause）」、「タイムディレイ（Time delay）」、「エモティコン（顔文字、Emoticon）」などの機能がポップアップ画面に表示される。
【００３４】
ここで、常用句は、ユーザが頻繁に使用する語句（例えば、あいさつ）を意味する。
【００３５】
パッシブスタンバイ（ポーズ）は、指示待ち状態のことであり、少しの間だけ停止状態を維持した後に番号を再び入力しなければならないような場合に適用される機能である。すなわち、パッシブスタンバイは、携帯電話に内蔵された電話番号（読み出した電話番号）での発信を少しの間だけ停止する機能である。この機能を用いる場合、端末機にはアルファベット「Ｐ」で表示され、このパッシブスタンバイにおいて「ＳＥＮＤ（発信）」ボタンを再び押すと、呼が、「Ｐ」の後に表示される電話番号の端末機に接続される。
【００３６】
タイムディレイは、携帯電話に内蔵された電話番号（読み出した電話番号）で発信するときに、自動的に所定時間だけ待機した後に、文字等を送信する機能である。この機能を用いる場合、端末機にはアルファベット「Ｔ」で表示され、ユーザは、通常の電話を使用するようにして、単に呼接続を待てばよい。
【００３７】
図３は、機能選択キー（Connection）を用いた場合のディスプレイ画面の一例を示す図である。機能選択キーを押すと、待機画面から選択できる多数の機能がポップアップ画面に表示される。
【００３８】
関連機能は、現在の状態（表示画面）で引き続いて行える多様な機能を意味する。
【００３９】
ポップアップ画面には、「メッセージ送信」、「電話帳の追加」、「電話帳の検索」、「待機画面テキスト（文（句））」、「メモ追加」などの機能が表示される。本実施形態においては、かかるポップアップ画面において所望の機能を選択すると、上述した番号入力領域１１及び内容入力領域１２に入力された内容が、選択した機能で簡便に利用することができる。
【００４０】
図４は、本発明の実施形態に係る移動通信端末機を用いたデータ処理方法の進行過程を概略的に示したフローチャートである。図４に示すように、移動通信端末機は１００、待機モード状態で番号入力領域１１と内容入力領域１２とに分離された画面を待機画面として表示（分割表示）する（Ｓ６１）。
【００４１】
待機画面上の番号入力領域１１及び／又は内容入力領域１２にデータが入力されると、移動通信端末機１００は、この入力されたデータを、内蔵するメモリに一時保存する（Ｓ６２）。
【００４２】
次に、ユーザにより任意のファンクションキーが（押圧）操作され、移動通信端末機１００は、そのファンクションキーに関する信号を受信する。このときユーザによって操作されるファンクションキーとしては、例えば、通話に関連する処理が割り当てられた通話ファンクションキー、メッセージに関連する処理が割り当てられたメッセージファンクションキー、電話帳に関連する処理が割り当てられた電話帳ファンクションキー又は機能選択キーである（Ｓ６３）。
【００４３】
ユーザによりファンクションキーが操作され、該ファンクションキーに関する信号を受信すると、移動通信端末機１００は、メモリに一時保存されたデータを用いて、該ファンクションキー、すなわち、ユーザによって選択されたファンクションキーに該当する所定動作を実行する（Ｓ６４）。
【００４４】
以下、ファンクションキー別に具体的な動作を説明する。
図５は、本発明の実施形態として、通話ファンクションキーを用いた場合の例を示す図である。
図５（ａ）は、番号入力領域１１に短縮番号を入力した後に、通話ファンクションキー（ＳＥＮＤ）を押した場合を示している。この場合、移動通信端末機１００は、「１」という短縮番号に保存された電話番号で直ちに呼接続処理を行う。
図５（ｂ）は、番号入力領域１１に電話番号を全て入力した後に、通話ファンクションキーを押した場合を示している。この場合は、番号入力領域１１に入力された電話番号で直ちに呼接続処理を行う。
図５（ｃ）は、内容入力領域１２に文字を入力した後に、通話ファンクションキーを押した場合を示している。この場合は、入力された内容に該当する電話番号で呼接続を行う。すなわち、内容入力領域１２に文字等（文字、数字、記号など）が入力されて通話ファンクションキーが押されると、移動通信端末機１００は、電話帳から入力された文字等と一致する名前（名称）を検索し、検索した名前（名称）に対応する電話番号で呼接続処理を行う。このとき、電話帳に同一の名前がなかったり、入力内容を含む名前が複数あったり、複数の電話番号が該当したりする場合には、図５（ｄ）に示すように、該当する複数の電話番号及び名前をディスプレイし、ユーザが選択した番号で呼接続処理を行う。
【００４５】
図６は、他の実施形態として、メッセージファンクションキーを用いた場合の例を示す図である。
図６（ａ）は、番号入力領域１１に電話番号を入力し、内容入力領域１２にメッセージを入力した後に、メッセージファンクションキーを押した場合を示している。この場合、移動通信端末機１００は、番号入力領域１１に入力された電話番号で、内容入力領域１２に入力されたメッセージを伝送する。
図６（ｂ）は、番号入力領域１１に短縮番号を入力し、内容入力領域１２にメッセージを入力した後に、メッセージファンクションキーを押した場合を示している。この場合、移動通信端末機１００は、「１」という短縮番号に保存された電話番号で、内容入力領域１２に入力されたメッセージを伝送する。
ここで、「電話番号でメッセージを伝送する」とは、電話番号で特定される端末機に対してメッセージを伝送するという意味であり、電話番号はもちろん、電話帳等を検索して電話番号に対応するメールアドレスでメッセージを伝送する場合も含む。
【００４６】
図７は、さらに他の実施形態として、電話帳ファンクションキーを用いた場合の例を示す図である。
番号入力領域１１及び／又は内容入力領域１２に所定のデータが入力された状態で電話帳ファンクションキーが押されると、移動通信端末機１００は、まず、番号入力領域１２及び内容入力領域１２の両方にデータが入力されたかを判断する。これによって、電話帳追加機能を実行するか、又は、電話帳検索機能を実行するか判断される。
【００４７】
図７（ｂ）に示すように、所定のデータが番号入力領域１１及び内容入力領域１２の両方に入力された場合には、現在入力された情報を電話帳リストに追加する。すなわち、内容入力領域１２に入力されたデータは、電話番号登録の名前フィールドに保存され、番号入力領域１１に入力されたデータは、番号フィールドに保存される。
【００４８】
一方、図７（ａ）に示すように、所定のデータが内容入力領域１２のみに入力された状態で電話帳ファンクションキーが押されると、移動通信端末機１００は、電話番号データベースの中から内容入力領域１２に入力されたデータ（文字）が含まれる電話番号リストをディスプレイする。ここでは、内容入力領域１２に名前「Ｓｔｅｖｅ」が入力されているので、電話帳に登録されている電話番号リストのうち、名前又は名称に「Ｓｔｅｖｅ」が含まれるものが表示されている。
また、図７（ｃ）に示すように、所定のデータが番号入力領域１１のみに入力された状態で電話帳ファンクションキーが押されると、移動通信端末機１００は、電話番号データベースの中から番号入力領域１１に入力されたデータ（数字）が含まれる電話番号リストをディスプレイする。
【００４９】
図８は、本発明の一実施形態に係る移動通信端末機の構成を概略的に示したブロック図である。図８に示すように、移動通信端末機１００は、基本入力を行うための数字（文字含む）キー及び指定された特定の付加機能を行うためのファンクションキーを含むキーパッド２１と、番号入力領域と内容入力領域とに分離された待機画面を表示する表示（ディスプレイ）部１０と、この表示部１０に表示される入力データを一時保存するメモリ４０と、前記表示部１０に表示される番号入力領域への入力と内容入力領域への入力とを切り換える入力領域切換キー３０と、前記メモリ４０に一時保存される入力データを用いて、前記キーパッド２１を通して入力されたファンクションキーの動作実現のための制御信号を出力する制御部５０と、を含んで構成される。
【００５０】
以上説明した内容を通して、当業者であれば、本発明の技術思想から逸脱しない範囲で多様な変更及び修正が可能であることは明らかである。よって、本発明の技術的範囲は、明細書の詳細な説明に記載された内容に限定されるものではなく、特許請求の範囲によって定められるべきである。
【図面の簡単な説明】
【００５１】
【図１】本発明の一実施形態に係る移動通信端末機を示した図である。
【図２】メニューキーを用いた場合のディスプレイ画面の例を示す図である。
【図３】機能選択キーを用いた場合のディスプレイ画面の例を示す図である。
【図４】実施形態に係る移動通信端末機を用いたデータ処理方法の進行過程を示すフローチャートである。
【図５】通話ファンクションキーを用いた場合のデータ処理方法を示す図である。
【図６】メッセージファンクションキーを用いた場合のデータ処理方法を示す図である。
【図７】電話帳ファンクションキーを用いた場合のデータ処理方法を示す図である。
【図８】実施形態に係る移動通信端末機の構成を概略的に示したブロック図である。
【図９】従来の移動通信端末機において、付加機能を利用する場合の操作（手続き）を説明する図である。
【符号の説明】
【００５２】
１０    ディスプレイ部
１１    番号入力領域
１２    内容入力領域
２０    ファンクションキー
２１    キーパッド
３０    入力領域切換キー
４０    メモリ
５０    制御部
１００  移動通信端末機
【図１】
2006352875.tif 000003
【図２】
2006352875.tif 000004
【図３】
2006352875.tif 000005
【図４】
2006352875.tif 000006
【図５】
2006352875.tif 000007
【図６】
2006352875.tif 000008
【図７】
2006352875.tif 000009
【図８】
2006352875.tif 000010
【図９】
2006352875.tif 000011